(57)【要約】【課題】ユーザに対し、設定変更の内容を確実に知らせることのできる処理装置を提供する。【解決手段】操作ユニット１２０は、所定の動作モードに対応する所定の処理を実行する画像形成装置１００に備えられる。この操作ユニット１２０は、表示パネル１３２と、所定の処理を実行するために必要な設定の変更を行なうためのタッチパネル１３４と、を含む。タッチパネル１３４によって設定の変更がなされると、ＣＰＵ３００は、表示パネル１３２に対し、当該変更内容を示すための変更情報を表示させる。この変更情報は、画像処理の実行開始を指示するキーの表示領域以外の領域に表示される。【選択図】図３
2019062569.tif 000002
【特許請求の範囲】
【請求項１】
複数の動作モードを有し、所定の動作モードに対応する所定の処理を実行する処理装置であって、
表示装置と、
前記所定の処理を実行するために必要な設定の変更を行なうための変更手段と、
前記変更手段によって前記設定の変更がなされた後に、前記表示装置に対し、当該変更内容を示すための変更情報を表示させる第１の表示制御手段と、を含み、
前記表示装置には、前記変更情報とともに、画像処理の実行開始を指示するキーが表示される画面が表示され、
前記変更情報の表示領域は、少なくとも画像処理の実行開始を指示するキーの表示領域以外の領域に設けられており、前記複数の動作モードのうちいずれの動作モードにおいても、前記変更情報の表示領域は少なくとも画像処理の実行開始を指示するキーの表示領域以外の領域に設けられる
処理装置。
【請求項２】
前記複数の動作モードはＦＡＸモードとコピーモードを含む、
請求項1記載の処理装置。
【請求項３】
前記第１の表示制御手段は、前記処理装置が、前記変更に関連する処理を実行するための操作入力を受付けたことに応答して、前記表示装置に対し、当該操作中の処理に関連する変更内容を示すための情報を、前記変更情報として表示させるための手段を含む、請求項１又は請求項２に記載の処理装置。
【請求項４】
前記画面はさらに、現在の処理状況を表示する表示領域を含む、請求項１から請求項３のいずれか１つに記載の処理装置。
【請求項５】
所定の動作モードに対応する所定の処理を実行する画像形成装置であって、
請求項１から請求項４のいずれか１つに記載の処理装置と、
前記処理装置に対してなされた指示に応じて前記所定の処理を実行するための処理実行手段と、を含む、画像形成装置。
【発明の詳細な説明】
【技術分野】
【０００１】
本発明は、処理装置及び画像形成装置に関し、特には、ユーザに対し、所定の情報を報知する技術に関する。
【背景技術】
【０００２】
従来、コピーモード及びＦＡＸモード等の所定の動作モードに対応する各種処理を実行する画像形成装置が知られている。このような画像形成装置において、所定の処理を実行するために必要な設定の変更が行なわれた際に、その変更内容を通知する技術が提案されている。
【０００３】
例えば、後掲の特許文献１には、画像形成装置に関する設定情報を変更した場合に、管理者に対し、設定情報が変更された旨をメールにて通知する画像形成装置が開示されている。
【０００４】
後掲の特許文献２には、特定の設定項目に関する変更前の設定内容と変更後の設定内容とが移行期間を設けて設定され、当該移行期間内に印刷指令がなされた場合に、印刷装置の操作パネルに、通知メッセージを表示させる印刷システムが開示されている。この印刷システムにおいて、通知メッセージには、設定内容が変更されたこと、及び移行期間経過後の状況に関する説明等が示される。
【先行技術文献】
【特許文献】
【０００５】
【特許文献１】特開２００７−３３６０７７号公報
【特許文献２】特開２００９−４３１３０号公報
【発明の概要】
【発明が解決しようとする課題】
【０００６】
特許文献１に開示される技術では、設定情報が変更された旨がメールにて通知されるため、メールを確認しない限り、ユーザはどのような設定の変更が行なわれたのかを知ることができない。特許文献２に開示される技術では、ユーザは、印刷指令がなされるまで、設定が変更されたことを知ることができない。したがって、ユーザは、印刷指令を行なう前に変更内容に合わせた各種設定を行なうことができず、不便である。
【０００７】
本発明の目的は、ユーザに対し、設定変更の内容を確実に知らせることのできる処理装置及び画像形成装置を提供することである。
【課題を解決するための手段】
【０００８】
本発明の第１の局面に係る処理装置は、複数の動作モードを有し、所定の動作モードに対応する所定の処理を実行する処理装置であって、表示装置と、
前記所定の処理を実行するために必要な設定の変更を行なうための変更手段と、前記変更手段によって前記設定の変更がなされた後に、前記表示装置に対し、当該変更内容を示すための変更情報を表示させる第１の表示制御手段と、を含み、前記表示装置には、前記変更情報とともに、画像処理の実行開始を指示するキーが表示される画面が表示され、前記変更情報の表示領域は、少なくとも画像処理の実行開始を指示するキーの表示領域以外の領域に設けられており、前記複数の動作モードのうちいずれの動作モードにおいても、前記変更情報の表示領域は少なくとも画像処理の実行開始を指示するキーの表示領域以外の領域に設けられる。
【０００９】
本発明の第１の局面に係る処理装置は、前記複数の動作モードはＦＡＸモードとコピーモードを含む。
【００１０】
第１及び第２の局面に係る処理装置では、前記第１の表示制御手段は、前記処理装置が、前記変更に関連する処理を実行するための操作入力を受付けたことに応答して、前記表示装置に対し、当該操作中の処理に関連する変更内容を示すための情報を、前記変更情報として表示させるための手段を含む。
【００１１】
より好ましくは、前記画面はさらに、現在の処理状況を表示する表示領域を含む。
【００１２】
これによって、ユーザは、必要な情報のみを容易に知ることができる。したがって、ユーザの利便性が向上する。
【００１３】
本発明の第３の局面に係る画像形成装置は、所定の動作モードに対応する所定の処理を実行する画像形成装置であって、上記した第１又は第２の局面にかかる処理装置と、処理装置に対してなされた指示に応じて所定の処理を実行するための処理実行手段と、を含む。
【発明の効果】
【００１４】
本発明によれば、設定の変更がなされた場合に、当該変更の内容を示すための変更情報が表示されるので、ユーザは、例えば、管理者及び他のユーザ等によって設定の変更がなされた場合においても、その変更情報を確実に知ることができる。また、変更情報は、画像処理の実行開始を指示するキーの表示領域以外の領域に表示されるので、変更情報の表示によってキーの操作が妨げられるのを防ぐことができる。
【図面の簡単な説明】
【００１５】
【図１】本発明の第１の実施の形態に係る画像形成装置の外観構成を示す図である。
【図２】図１に示す画像形成装置の内部構成を簡略化して示す図である。
【図３】図１に示す画像形成装置の電気的構成を示すブロック図である。
【図４】ホーム画面の一例を示す図である。
【図５】基本動作モードの基本画面の基本レイアウト構成を示す図である。
【図６】コピーモードの基本画面の一例を示す図である。
【図７】ＦＡＸモードの基本画面の一例を示す図である。
【図８】本発明の第１の実施の形態に係る変更内容表示処理を実現するためのコンピュータプログラムの制御構造をフローチャート形式で示す図である。
【図９】全ての変更内容が表示されるときの画面の一例を示す図である。
【図１０】本発明の第１の実施の形態の第１の変形例に係る変更内容表示処理を実現するためのコンピュータプログラムの制御構造をフローチャート形式で示す図である。
【図１１】コピーモードに関連する変更内容が表示されるときの画面の一例を示す図である。
【図１２】本発明の第１の実施の形態の第２の変形例に係る変更内容表示処理を実現するためのコンピュータプログラムの制御構造をフローチャート形式で示す図である。
【図１３】操作中のジョブに関連する変更内容が表示されるときの画面の一例を示す図である。
【図１４】本発明の第１の実施の形態の第３の変形例に係る変更内容表示処理を実現するためのコンピュータプログラムの制御構造をフローチャート形式で示す図である。
【図１５】アイコンが表示されたときの画面の一例を示す図である。
【図１６】アイコンが押下されたことに応答して、対応する変更内容が表示されたときの画面の一例を示す図である。
【図１７】本発明の第２の実施の形態に係る変更履歴表示処理を実現するためのコンピュータプログラムの制御構造をフローチャート形式で示す図である。
【図１８】設定の変更履歴が表示されるときの画面の一例を示す図である。
【図１９】抽出された変更履歴が表示されるときの画面の一例を示す図である。
【発明を実施するための形態】
【００１６】
以下の説明及び図面においては、同一の部品には同一の参照符号及び名称を付してある。それらの機能も同様である。したがって、それらについての詳細な説明は繰返さない。
【００１７】
《第１の実施の形態》  
図１〜図３を参照して、本発明の第１の実施の形態に係る画像形成装置１００は、スキャナ機能、コピー機能、及び、ファクシミリ（以下「ＦＡＸ」と記す。）機能等を備えるＭＦＰ（Ｍｕｌｔｉｆｕｎｃｔｉｏｎ  Ｐｒｉｎｔｅｒ）である。画像形成装置１００において、ユーザによって、スキャナモード、コピーモード及びＦＡＸモード等を含む各種動作モードのうちのいずれかが選択されると、選択された動作モードに対応する各種処理が実行可能になる。
【００１８】
〈ハードウェア構成〉  
［画像形成装置１００の全体構成］  
図１〜図３を参照して、画像形成装置１００は、原稿読取部１０２、画像形成部１０４、給紙部１０６、排紙処理装置１０８、及び、操作ユニット１２０を含む。以下、コピーモード及びＦＡＸモードにおける動作を説明することによって、画像形成装置１００全体のハードウェア構成の説明とする。
【００１９】
−コピーモード−  
本実施の形態において、コピーモードでは、主として、原稿読取部１０２及び画像形成部１０４が動作することによって、スキャンイン処理、モノクロコピー処理、及び、カラーコピー処理のうちのいずれかが実行される。
【００２０】
（スキャンイン処理）  
ユーザによってコピーモードが選択され、スキャンイン処理の開始が指示されると、手動又はＡＤＦ（Ａｕｔｏ  Ｄｏｃｕｍｅｎｔ  Ｆｅｅｄｅｒ）によって原稿載置台に載置された原稿は、原稿読取部１０２によってスキャンデータとして読取られる。読取られたスキャンデータは、図３に示すＣＰＵ（Ｃｅｎｔｒａｌ  Ｐｒｏｃｅｓｓｉｎｇ  Ｕｎｉｔ）３００に入力される。ＣＰＵ３００は、入力されたスキャンデータに対して各種画像処理を施した後、操作ユニット１２０のタッチパネルディスプレイ１３０に対し、スキャンデータに基づくプレビュー画像を表示させる。このとき、スキャンデータは、記憶装置（例えば、ＲＡＭ（Ｒａｎｄｏｍ  Ａｃｃｅｓｓ  Ｍｅｍｏｒｙ）３０８）に一時的に記憶される。
【００２１】
（通常のモノクロコピー処理及びカラーコピー処理）  
ユーザによってコピーモードが選択された後、上記したスキャンイン処理が行なわれていない状態で、コピー処理の開始が指示されると、手動又はＡＤＦによって原稿載置台に載置された原稿は、原稿読取部１０２によって画像データとして読取られる。読取られた画像データはＣＰＵ３００に入力され、ここで各種の画像処理が施された後、画像形成部１０４に対して出力される。
【００２２】
画像形成部１０４は、画像データに基づいて原稿画像を記録媒体（多くの場合、記録用紙）に印刷する。画像形成部１０４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００２３】
画像形成部１０４には、主搬送路２３６及び反転搬送路２３８が設けられる。給紙部１０６は、用紙カセット２４０に収納される記録用紙、又は手差トレイ２４２に載置される記録用紙を１枚ずつ引出し、引出した記録用紙を画像形成部１０４の主搬送路２３６に向けて送り出す。給紙部１０６から給紙された記録用紙は、主搬送路２３６に沿って搬送される。
【００２４】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００２５】
感光体ドラム２２２は、一方向に回転する。感光体ドラム２２２の表面は、クリーニング装置２３２と除電装置とによりクリーニングされた後、帯電装置２２４により均一に帯電される。
【００２６】
ＬＳＵ２２６は、印刷対象の画像データに基づいてレーザ光を変調する。そして、このレーザ光によって感光体ドラム２２２の表面を主走査方向に繰返し走査することで、静電潜像を感光体ドラム２２２の表面に形成する。
【００２７】
現像装置２２８は、トナーを感光体ドラム２２２の表面に供給して静電潜像を現像する。これによって、トナー像が感光体ドラム２２２の表面に形成される。モノクロコピー処理が実行される場合には、現像装置２２８は、モノクロトナーを供給する。カラーコピー処理が実行される場合には、現像装置２２８は、イエロー（Ｙ）、マゼンタ（Ｍ）、シアン（Ｃ）、及びブラック（Ｋ）からなるカラートナーを供給する。
【００２８】
転写装置２３０は、当該転写装置２３０と感光体ドラム２２２との間を通過する記録用紙に対し、感光体ドラム２２２の表面に形成されたトナー像を転写する。
【００２９】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によって、例えば加熱ローラ２４８内部に設けられるヒータを温めることで、定着に適した温度になるように制御されている。
【００３０】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４から搬送される記録用紙が排紙トレイ２４６又は排紙処理装置１０８の方へと導かれる。
【００３１】
記録用紙の両面に原稿画像の印刷を行なう場合には、分岐爪２４４が所定方向に回動され、この分岐爪２４４により定着装置２３４から搬送される記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への原稿画像の印刷が行なわれる。印刷が行なわれた記録用紙は、排紙トレイ２４６又は排紙処理装置１０８の方へと導かれる。
【００３２】
上述のようにして原稿画像が印刷された記録用紙は、排紙トレイ２４６又は排紙処理装置１０８の方へと導かれて、排紙トレイ２４６に排出されるか、又は、排紙処理装置１０８の各排紙トレイ１１０のいずれかに排出される。
【００３３】
排紙処理装置１０８では、複数の記録用紙を各排紙トレイ１１０に仕分けして排出する処理、記録用紙にパンチングする処理、及び、記録用紙にステープルする処理等を施す。排紙処理装置１０８は、例えば、複数部の印刷物を作成する場合には、各排紙トレイ１１０に印刷物の一部ずつが割り当てられるように、記録用紙を各排紙トレイ１１０に仕分けして排出し、排紙トレイ１１０毎に、排紙トレイ１１０上の記録用紙にパンチング処理又はステープル処理を施して印刷物を作成する。
【００３４】
（スキャンイン処理後のモノクロコピー処理及びカラーコピー処理）  
ユーザによってコピーモードが選択され、上記したスキャンイン処理が行なわれた後で、コピー処理の開始が指示される場合がある。この場合には、上記した原稿画像のスキャン及び画像データに対する画像処理は行なわれず、画像形成部１０４は、スキャンイン処理時に読取られ、記憶装置に一時的に記憶されるスキャンデータに基づいて、上記と同様にして印刷処理を行なう。
【００３５】
−ＦＡＸモード−  
本実施の形態において、ＦＡＸモードでは、主として、原稿読取部１０２、図３に示すＦＡＸ通信部１６０、及び画像形成部１０４が動作することによって、スキャンイン処理、ＦＡＸ送信処理、ＦＡＸ通信処理、及びＦＡＸ受信処理が実行される。
【００３６】
（スキャンイン処理）  
ユーザによってＦＡＸモードが選択され、スキャンイン処理の開始が指示されると、手動又はＡＤＦによって原稿載置台に載置された原稿は、原稿読取部１０２によってスキャンデータとして読取られる。読取られたスキャンデータは、ＣＰＵ３００に入力される。ＣＰＵ３００は、入力されたスキャンデータに対して各種画像処理を施した後、操作ユニット１２０のタッチパネルディスプレイ１３０に対し、スキャンデータに基づくプレビュー画像を表示させる。このとき、スキャンデータは、記憶装置（例えば、図３に示すＲＡＭ３０８）に一時的に記憶される。
【００３７】
（ＦＡＸ送信処理）  
ユーザによってＦＡＸモードが選択された後、スキャンイン処理が行なわれていない状態で、ＦＡＸ送信処理の開始が指示されると、手動又はＡＤＦによって原稿載置台に載置された原稿は。原稿読取部１０２によって画像データとして読取られる。読取られた画像データは、ＣＰＵ３００に入力され、ここで各種の画像処理が施された後、ＦＡＸ通信部１６０に対して出力される。
【００３８】
一方、ユーザによってＦＡＸモードが選択され、上記したスキャンイン処理が行なわれた後で、ＦＡＸ送信処理の開始が指示される場合がある。この場合には、上記した原稿画像のスキャン及び画像データに対する画像処理は行なわれず、スキャンイン処理時に読取られ、記憶装置に一時的に記憶されるスキャンデータが、ＦＡＸ通信部１６０に対して出力される。
【００３９】
送信側の画像形成装置１００のＦＡＸ通信部１６０は、送信側の回線を指定された送信先に接続し、入力された画像データ又はスキャンデータをファクシミリ通信規格に合致した通信データへ変換して、受信側のファクシミリ装置（例えばファクシミリ機能を備えた画像形成装置１００）に対して送信する。
【００４０】
（ＦＡＸ通信処理）  
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化／符号訂正方式等を決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へとデータが送信される。送信が終了すると回線が切断される。
【００４１】
（ＦＡＸ受信処理）  
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同様にして、受信したデータから変換された画像データに基づく画像を記録用紙に印刷する。
【００４２】
〈電気的構成〉  
図３を参照して、画像形成装置１００は、操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ（Ｈａｒｄ  Ｄｉｓｋ  Ｄｒｉｖｅ）３０２と、プログラムを実行する際に記憶領域を提供するＲＡＭ３０８と、を含む。
【００４３】
画像形成装置１００はさらに、原稿読取部１０２、画像形成部１０４、ＦＡＸ通信部１６０、操作ユニット１２０、ＨＤＤ３０２、ＲＯＭ３０６、ＲＡＭ３０８、及び、ネットワークインターフェイス（以下「ネットワークＩ／Ｆ」と記す。）３０４に接続されるバス３１０と、バス３１０に接続され、上記した各部を制御して画像形成装置としての一般的機能を実現するためのＣＰＵ３００と、を含む。
【００４４】
ＨＤＤ３０２には、原稿読取部１０２にてスキャンされた画像データ等の各種データが記憶される。ＲＯＭ３０６には、画像形成装置１００の一般的な動作を実現するためのコンピュータプログラムとともに、後述する、変更内容表示処理を実現するためのコンピュータプログラムが記憶される。ＲＯＭ３０６にはさらに、各種動作モードの基本画面を表示するための基本画面データ、及び、各種設定画面を表示するための設定画面データ等が記憶される。ＲＡＭ３０８は、ＣＰＵ３００による演算及び処理の結果を一時的に記憶するワーキングメモリとしての機能と、画像データを記憶するフレームメモリとしての機能とを提供する。
【００４５】
ＣＰＵ３００は、ＲＯＭ３０６に格納されているコンピュータプログラムにしたがって画像形成装置１００の各機能に関する制御を実行する。すなわち、原稿読取部１０２、画像形成部１０４、操作ユニット１２０のタッチパネルディスプレイ１３０及び表示操作部１４０、ＨＤＤ３０２、ＲＯＭ３０６、並びに、ＲＡＭ３０８等の各部に対する制御は、ＣＰＵ３００が所定のコンピュータプログラムを実行することによって実現される。
【００４６】
ＦＡＸ通信部１６０には、画像データの送受信用に公衆回線が接続され、ネットワークＩ／Ｆ３０４には、ネットワーク回線が接続される。このネットワーク回線には、画像形成装置１００をネットワーク対応のプリンタとして使用するコンピュータが接続されたり、インターネットを介して指定されたＵＲＬにより特定されるコンピュータが接続されたりする。このようにネットワーク回線を通じてインターネットに接続される画像形成装置１００は、インターネットを介して、外部装置から必要な情報を取得することができる。
【００４７】
〈ハードウェア構成〉  
［画像形成装置１００の操作ユニット１２０］  
図１及び図３を参照して、操作ユニット１２０は、画像形成装置１００の上部正面側に、ユーザが目視しやすいように傾斜して設けられる板状の操作パネルである。操作ユニット１２０は、操作ユニット１２０表面の中央部から左側領域にかけて配置されるタッチパネルディスプレイ１３０と、操作ユニット１２０表面の右側領域に配置される表示操作部１４０と、を含む。タッチパネルディスプレイ１３０と表示操作部１４０とは１つの筐体に保持され、操作ユニット１２０は全体として一体となるように構成される。操作ユニット１２０は、入出力インターフェイス（図示せず。）を介して、ＣＰＵ３００と通信を行なう。
【００４８】
タッチパネルディスプレイ１３０は、表示パネル１３２と、タッチパネル１３４とが重ねて構成されるタッチパネル一体型液晶表示装置である。表示パネル１３２には、画像形成装置１００が実行可能な各種動作モードから所望の動作モードを選択するためのホーム画面、及び、基本動作モードにおける各種機能の設定変更等を行なうための基本画面等が表示される。ここで、基本動作モードとは、画像データ（スキャンデータ）の印刷処理及び送信処理等を実行するための動作モードのことであり、本実施の形態では、コピーモード及びＦＡＸモードを示す。タッチパネルディスプレイ１３０の動作はＣＰＵ３００によって制御される。例えば、表示パネル１３２に表示される画面にはソフトウェアキーが表示される。このソフトウェアキーをユーザが指で押下すると、タッチパネル１３４がその押下された位置を検出する。ＣＰＵ３００は、プログラム上でソフトウェアキーの表示位置とタッチパネル１３４が押下された位置とを照合し、その照合結果に基づいて、動作モードの選択、各種機能の設定変更、及び、動作指示等を行なう。タッチパネルディスプレイ１３０のサイズ及び形状としては、特に限定されないが、例えば、１０２４ピクセル×６００ピクセルの横長の長方形状のもの等を使用できる。
【００４９】
表示操作部１４０は、表示灯１４２、並びに、電源キー１４４、省エネルギーキー（以下「省エネキー」と記す。）１４６、及びホームキー１４８等の各種ハードウェアキーを含む。表示灯１４２は、例えばＬＥＤ（Ｌｉｇｈｔ  Ｅｍｉｔｔｉｎｇ  Ｄｉｏｄｅ）を備え、画像形成装置１００が電源オンであるときに点灯する。電源キー１４４は、画像形成装置１００の電源のオン・オフを行なうためのキーである。
【００５０】
省エネキー１４６は、通常モードから省エネモードへの移行指示又は省エネモードから通常モードへの移行指示を行なうためのキーである。なお、省エネモードへの移行は、省エネキー１４６が押下された場合だけでなく、ユーザによる入力操作がない状態で所定時間が経過した場合においても実行される。ここで、通常モードとは、電源がオンの状態であって、全ての動作モードが実行可能な状態を示す。省エネモードとは、電源がオンの状態であって、一部の動作モードのみが実行可能な状態を示す。
【００５１】
ホームキー１４８は、ホーム画面への移行指示を行なうためのキーである。ユーザによってホームキー１４８が押下されると、表示パネル１３２には、ホーム画面が表示される。
【００５２】
［ホーム画面１０００］    図４を参照して、ホーム画面１０００は、ホームシステム領域１１００と、表示可変領域１２１０及び表示固定領域１２３０を含むアイコン表示領域１２００と、を含む。ホームシステム領域１１００は、ホーム画面の最上部に設けられる。アイコン表示領域１２００は、ホーム画面の中央部に設けられる。表示可変領域１２１０は、アイコン表示領域１２００の上部に設けられ、表示固定領域１２３０は、アイコン表示領域１２００の下部に設けられる。
【００５３】
ホームシステム領域１１００には、ホーム画面であることを示す画像（ここでは、絵柄及び「Ｈｏｍｅ」という文字列等を含む画像）１２０２、割込みキー１２０４及びログアウトキー１２０６、並びに、現在時刻１２０８等が表示される。
【００５４】
アイコン表示領域１２００には、ユーザが所望の動作モードを選択するための各種ソフトウェアキーが、その動作モードの名称又は略称を示す文字列とともに表示される。なお、動作モードの名称又は略称を示す文字列は必須ではない。アイコン表示領域１２００において、表示可変領域１２１０に表示される各種ソフトウェアキーは、画面左右方向にページスクロール可能に表示される。表示固定領域１２３０に表示される各種ソフトウェアキーは、その表示位置が固定された状態で表示される。
【００５５】
本実施の形態において、表示可変領域１２１０には、上記した各種ソフトウェアキーとして、ＦＡＸモードを選択するためのキー１２１２、及び、システム設定モードを選択するためのキー１２１４等が表示される。表示固定領域１２３０には、上記した各種ソフトウェアキーとして、コピーモードを選択するためのキー１２３２、及び、スキャンデータをリモートＰＣ（Ｐｅｒｓｏｎａｌ  Ｃｏｍｐｕｔｅｒ）に送信するＰＣスキャンモードを選択するためのキー１２３４等が表示される。これらのソフトウェアキーは、各キーに対応する動作モードを表わす簡単な絵柄の形態で（すなわち、アイコンとして）表示される。これらのソフトウェアキーのうちのいずれかが押下されると、表示パネル１３２には、対応する動作モードの基本画面が表示される。
【００５６】
本実施の形態において、ホーム画面１０００に表示されるキー１２１４がユーザによって押下されると、表示パネル１３２には、システム設定を行なうためのシステム設定画面（図示せず。）が表示される。ユーザは、システム設定画面に対するタッチパネル１３４からの入力操作によって、ユーザ認証設定のオン・オフ、変更内容の表示設定のオン・オフ、及び、各種動作モードの設定の変更等を行なうことができる。システム設定にてユーザ認証設定がオンに設定されている場合には、予め登録されるログイン名及びパスワードを入力して正規のユーザであると判定されたユーザのみが、画像形成装置１００に対するログインが許可される。また、ユーザ認証がオンに設定されている場合には、ユーザ毎に使用可能な機能が制限される。変更内容の表示設定がオンに設定されている場合には、各種動作モードの設定の変更がなされてから所定時間が経過するまでの間、その変更内容が表示パネル１３２に表示される。ユーザ認証設定がオフに設定されている場合には、システム設定における各種操作は、管理者パスワードを入力して管理者として認証されたユーザのみが行なうことができる。ユーザ認証設定がオンに設定されている場合には、ユーザは、管理者パスワードを入力することなく、ログインしているユーザの権限によって、システム設定における各種操作を行なうことができる。ユーザは、システム設定における各種操作を終了する場合には、システム設定画面に表示される終了キー（図示せず。）を押下する。この終了キーが押下されると、表示パネル１３２には、システム設定画面に替えて、ホーム画面１０００が表示される。
【００５７】
［基本動作モードの基本画面］  
ホーム画面等に表示される、基本動作モードを選択するためのソフトウェアキーがユーザによって押下されると、表示パネル１３２には、選択された基本動作モードの基本画面が表示される。
【００５８】
図５を参照して、基本動作モードの基本画面は、システム領域２１００と、機能設定／確認領域（以下「機能選択領域」と記す。）２２００と、プレビュー領域２３００と、アクションパネル領域２４００と、タスクトリガー領域２５００と、を含む複数の領域からなる。これらの領域は、基本レイアウトに従って以下のように配置される。すなわち、システム領域２１００は、基本画面の最上部に配置される。プレビュー領域２３００は、基本画面の中央部に配置される。機能選択領域２２００は、基本画面においてプレビュー領域２３００に対して左側に配置される。アクションパネル領域２４００は、基本画面においてプレビュー領域２３００に対して右側上部に配置される。タスクトリガー領域２５００は、基本画面においてプレビュー領域２３００に対して右側下部に配置される。上記した基本動作モードの基本画面を構成する領域及び基本レイアウトは、全ての基本動作モードにおいて共通する。
【００５９】
［コピーモードの基本画面３０００］  
以下、上記した基本動作モードの基本画面の一例として、コピーモードの基本画面３０００を説明する。図６を参照して、コピーモードの基本画面３０００のシステム領域２１００には、コピーモードであることを示す画像（ここでは、絵柄及び「コピー」という文字列を含む画像）２１０２及びログアウトキー２１０４等が表示される。このログアウトキー２１０４には、ログイン中のユーザ名が表示される。システム領域２１００にはさらに、現在のジョブ状況を示す領域２１０６が設けられる。この領域２１０６には、例えば、現在コピー処理を実行中であることを示すアイコン及び現在処理を停止中であることを示すアイコン（以上いずれも図示せず。）等が表示される。
【００６０】
機能選択領域２２００には、コピーモードに関する各種機能及びパラメータ等の条件の設定変更を行なうための各種設定キーが表示される。本実施の形態では、各種設定キーとして、カラーモードを切替えるためのキー２２０２、コピー濃度を変更するためのキー２２０４、及び、コピー倍率を変更するためのキー２２０６等が表示される。ユーザによってこれらの各種設定キーのうちのいずれかが押下された場合には、表示パネル１３２には、押下されたキーに対応する設定画面（例えば、濃度設定画面及び倍率設定画面等）が表示される。
【００６１】
機能選択領域２２００における上記した各種設定キーの下方には、各種設定キーの表示スタイルを変更するための変更キー２２１２〜２２１６が表示される。変更キー２２１２は、予め「お気に入り」登録された機能に関する設定キーのみを表示させるためのキーである。変更キー２２１４は、設定変更された機能に関する設定キーのみを表示させるためのキーである。変更キー２２１６は、対応する動作モードにおいて、設定変更可能な全ての機能に関する設定キーを表示させるためのキーである。本実施の形態では、変更キー２２１６が選択され、機能選択領域２２００には、コピーモードにおいて設定変更可能な全ての機能に関する設定キーが表示されるものとする。
【００６２】
プレビュー領域２３００には、コピー部数等を入力し、設定するための仮想テンキー群２３０２が表示される。仮想テンキー群２３０２は、０〜９までの数字キー、及びクリア（Ｃ）キーを含む。仮想テンキー群２３０２は、ウィンドウである背景領域２３０３内に表示される。プレビュー領域２３００における仮想テンキー群２３０２の下方には、画像形成装置１００全体の現在の状況を示すミミック画像２３０４が表示される。ユーザは、このミミック画像２３０４を押下することで、表示パネル１３２に対し、用紙設定画面を表示させることができる。
【００６３】
アクションパネル領域２４００には、コピーモードにおけるおすすめ機能を実行するための各種実行キーが表示される。ここで、おすすめ機能とは、ユーザによって選択された機能と過去に組合せて選択されたことのある機能を示す。本実施の形態では、上記各種実行キーとして、使用する記録用紙に合わせてコピー倍率を自動的に選択するためのキー２４０２、現在の設定条件（ジョブプログラム）の登録を実行するためのキー２４０４、及び、画像データのファイリングを実行するためのキー２４０６等が表示される。
【００６４】
タスクトリガー領域２５００には、スキャンインキー２５０２、クリアオールキー２５０４、モノクロスタートキー２５０６、及び、カラースタートキー２５０８が表示される。スキャンインキー２５０２は、原稿をスキャンし、得られたスキャンデータに基づくプレビュー画像をプレビュー領域２３００に表示させるスキャンイン処理の実行開始を指示するためのキーである。クリアオールキー２５０４は、基本画面３０００にて設定変更された機能及びパラメータ等を全てキャンセルし、設定をデフォルト状態へ戻すため、及び、実行中の処理の実行停止を指示するためのキーである。モノクロスタートキー２５０６は、原稿をスキャンし、得られた画像データ（又はスキャンイン処理によって得られたスキャンデータ）に基づくモノクロコピー処理の実行開始を指示するためのキーである。カラースタートキー２５０８は、原稿をスキャンし、得られた画像データ（又はスキャンイン処理によって得られたスキャンデータ）に基づくカラーコピー処理の実行開始を指示するためのキーである。
【００６５】
［ＦＡＸモードの基本画面４０００］  
以下、上記した基本動作モードの基本画面の他の一例として、ＦＡＸモードの基本画面４０００を説明する。図７を参照して、ＦＡＸモードの基本画面４０００のシステム領域２１００には、アドレス帳の内容を示す画面の表示を要求するためのキー２１１２と、ユーザによって入力された送信相手先のＦＡＸ番号を表示するための番号表示領域２１１４と、所定のＦＡＸ番号に対して予め登録される検索番号を使用して送信相手先を指定するための検索画面の表示を要求するための検索アイコン２１１６と、が表示される。
【００６６】
機能選択領域２２００には、ＦＡＸモードに関する各種機能及びパラメータ等の条件の設定変更を行なうための各種設定キーが表示される。本実施の形態では、上記各種設定キーとして、ＦＡＸ原稿の濃度を変更するためのキー２２２２、ＦＡＸ原稿の画質を変更するためのキー２２２４、大量原稿モードを設定するためのキー２２２６、及び、薄紙読込み機能を設定するためのキー２２２８等が表示される。ユーザによってキー２２２２及びキー２２２４等のうちのいずれかが押下された場合には、表示パネル１３２には、押下されたキーに対応する設定画面（濃度設定画面及び画質設定画面等）が表示される。キー２２２６及びキー２２２８等には、チェックボックスが表示される。ユーザによって、キー２２２６又はキー２２２８が押下された場合には、押下されたキーのチェックボックスにチェックマークが示され、押下されたキーに対応する機能が設定される。機能選択領域２２００における上記した各種設定キーの下方には、前述した変更キー２２１２，２２１４とともに、機能選択領域２２００に表示される機能とは異なる他の機能の一覧を示す画面の表示を要求するためのキー２２１８が表示される。本実施の形態では、変更キー２２１２が選択され、機能選択領域２２００には、ＦＡＸモードにて、予め「お気に入り」登録された機能に関する設定キーのみが表示されるものとする。
【００６７】
プレビュー領域２３００には、ＦＡＸ番号等を入力し、設定するための仮想テンキー群２３１２が表示される。仮想テンキー群２３１２は、０〜９までの数字キー、「♯」キー等の記号キー、クリア（Ｃ）キー、及び、確定キーを含む。仮想テンキー群２３１２は、ウィンドウである背景領域２３１３内に表示される。
【００６８】
プレビュー領域２３００にはさらに、原稿載置台又はＡＤＦ（以上いずれも図示せず。）にＦＡＸ原稿がセットされたか否かを示すアイコン、及び、現在のＦＡＸ送信設定状況等を示すウィンドウ２３１４が表示される。
【００６９】
アクションパネル領域２４００には、ＦＡＸモードにおけるおすすめ機能を実行するための各種実行キーが表示される。本実施の形態では、上記各種実行キーとして、所望のＦＡＸ番号を登録番号で検索するためのキー２４１２、及び、グローバルアドレス検索を実行するためのキー２４１４等が表示される。
【００７０】
タスクトリガー領域２５００には、スキャンインキー２５１２、クリアオールキー２５１４、スタートキー２５１６、及び、オンフックキー２５１８が表示される。スキャンインキー２５１２は、ＦＡＸ原稿をスキャンし、スキャンデータに基づくプレビュー画像をプレビュー領域２３００に表示させるスキャンイン処理の実行開始を指示するためのキーである。クリアオールキー２５１４は、基本画面４０００にて設定変更された機能及びパラメータ等を全てキャンセルし、設定をデフォルト状態へ戻すため、及び、実行中の処理の実行停止を指示するためのキーである。スタートキー２５１６は、ＦＡＸ送信処理の実行開始を指示するためのキーである。オンフックキー２５１８は、回線の状態をオンフック状態にするためのキーである。
【００７１】
〈ソフトウェア構成〉  
（変更内容表示処理）  
変更内容表示処理を実現するためのプログラムは、システム設定画面（図示せず。）に表示される終了キー（図示せず。）が押下されることによって起動される。図８を参照して、このプログラムは、設定の変更がなされたか否かを判定するステップＳ１０１を含む。ステップＳ１０１にて、設定の変更がなされていないと判定された場合（ＮＯの場合）には、本制御は終了する。
【００７２】
このプログラムはさらに、ステップＳ１０１にて、設定の変更がなされたと判定された場合（ＹＥＳの場合）に実行され、ユーザ認証設定がオンであるか否かを判定するステップＳ１０２を含む。
【００７３】
このプログラムはさらに、ステップＳ１０２にて、ユーザ認証設定がオンではないと判定された場合（ＮＯの場合）、すなわちユーザ認証設定がオフである場合に実行され、変更内容の表示設定がオンであるか否かを判定するステップＳ１０３を含む。ステップＳ１０３にて、変更内容の表示設定がオンではないと判定された場合（ＮＯの場合）、すなわち変更内容の表示設定がオフである場合には、本制御は終了する。
【００７４】
このプログラムはさらに、ステップＳ１０３にて、変更内容の表示設定がオンであると判定された場合（ＹＥＳの場合）に実行され、表示パネル１３２に対し、今回変更された全ての変更内容を表示させるステップＳ１０４と、今回の設定の変更がなされてから所定時間が経過するまで待機するステップＳ１０５と、ステップＳ１０５にて、所定時間が経過したと判定された場合（ＹＥＳの場合）に実行され、表示パネル１３２に対し、今回の変更内容の表示を終了させるステップＳ１０６と、を含む。
【００７５】
このプログラムはさらに、ステップＳ１０２にて、ユーザ認証設定がオンであると判定された場合（ＹＥＳの場合）に実行され、ログインがなされたか否かを判定するステップＳ１０７と、ステップＳ１０７にて、ログインがなされていないと判定された場合（ＮＯの場合）に実行され、今回の設定の変更がなされてから所定時間が経過したか否かを判定するステップＳ１０８と、を含む。ステップＳ１０８にて、所定時間が経過したと判定された場合（ＹＥＳの場合）には、本制御は終了する。ステップＳ１０８にて、所定時間が経過していないと判定された場合（ＮＯの場合）には、制御はステップＳ１０７に戻る。
【００７６】
このプログラムはさらに、ステップＳ１０７にて、ログインがなされたと判定された場合（ＹＥＳの場合）に実行され、表示パネル１３２に対し、今回の変更内容のうち、ログイン中のユーザが使用可能な機能に関連する変更内容を表示させるステップＳ１０９と、ログアウトがなされたか否かを判定するステップＳ１１０と、を含む。
【００７７】
このプログラムはさらに、ステップＳ１１０にて、ログアウトがなされたと判定された場合（ＹＥＳの場合）に実行され、表示パネル１３２に対し、今回の変更内容における、ログイン中のユーザによって使用可能な機能に関連する変更内容の表示を終了させるステップＳ１１１を含む。ステップＳ１１１の処理後、本制御は終了する。
【００７８】
このプログラムはさらに、ステップＳ１１０にて、ログアウトがなされていないと判定された場合（ＮＯの場合）に実行され、今回の設定の変更がなされてから所定時間が経過したか否かを判定するステップＳ１１２を含む。ステップＳ１１２にて、所定時間が経過していないと判定された場合（ＮＯの場合）には、制御はステップＳ１１０に戻る。ステップＳ１１２にて、所定時間が経過したと判定された場合（ＹＥＳの場合）には、制御はステップ１０６に移行する。
【００７９】
〈動作〉  
図１〜図８を参照して、本実施の形態に係る画像形成装置１００は、以下のように動作する。以下の動作を除く、画像形成装置１００の一般的な動作は、従来の画像形成装置の動作と同じである。なお、以下の動作において、画像形成装置１００は、電源が投入された状態であるものとする。また、変更内容の表示設定はオンに設定されているものとする。
【００８０】
（ユーザ認証設定がオフの場合の動作）  
ユーザは、ログイン認証を行なうことなく、ホームキー１４８を押下する。ホームキー１４８が押下されると、表示パネル１３２には、ホーム画面１０００（図４参照）が表示される。ユーザは、ホーム画面１０００に表示されるキー１２１４を押下する。キー１２１４が押下されると、表示パネル１３２には、システム設定画面（図示せず。）が表示される。この場合、ユーザ認証設定はオフに設定されているので、ユーザは、設定の変更を行なうために、タッチパネル１３４に対する入力操作によって、管理者パスワードを入力する。
【００８１】
入力された管理者パスワードによってユーザが管理者として認証されると、ユーザは、システム設定画面に対するタッチパネル１３４からの入力操作によって、コピーモードの設定（以下単に「コピー設定」と記す。）を変更する。本実施の形態において、ユーザは、コピー設定における、コピー印字濃度調整を「５」から「３」に変更し、回転コピーの設定をオンからオフに変更し、標準コピー倍率を１００％から７０％に変更し、用紙トレイを第１トレイから第２トレイに変更し、コピー枚数の上限値設定を９９９枚から５０枚に変更するものとする。
【００８２】
コピー設定を変更すると、ユーザは変更内容を確定した後、システム設定画面に表示される終了キー（図示せず。）を押下する。終了キーが押下されると、表示パネル１３２には、システム設定画面（図示せず。）に替えて、ホーム画面１０００が表示される。ＣＰＵ３００は、設定の変更がなされたと判定し（ステップＳ１０１にてＹＥＳ）、ユーザ認証設定がオフになっていると判定し（ステップＳ１０２にてＮＯ）、変更内容の表示設定がオンになっていると判定する（ステップＳ１０３にてＹＥＳ）。ＣＰＵ３００による上記判定がなされると、表示パネル１３２は、今回変更した全ての変更内容を表示する（ステップＳ１０４）。ここで、現在の時点で、変更がなされてから所定時間が経過していない変更内容が、今回の変更内容とは別に存在する場合には、表示パネル１３２には、その変更内容が既に表示されている。このような場合、今回の変更内容が、既に表示されている変更内容に新たに追加されて表示される。
【００８３】
図９を参照して、この場合、表示パネル１３２において、ホーム画面１０００の前面には、今回変更した全ての変更内容が、所定の順序でテロップ５０００を流すことで表示される。このテロップ５０００は、表示パネル１３２に表示される画面がホーム画面１０００から他の画面（例えばコピーモードの基本画面３０００）に切替わった場合においても、表示されたままである。
【００８４】
今回の設定の変更がなされてから所定時間（例えば、２４時間）が経過すると（ステップＳ１０５にてＹＥＳ）、表示パネル１３２は、テロップ５０００における、今回の変更内容の表示を終了する（ステップＳ１０６）。なお、表示パネル１３２に、今回の変更内容とともに別の変更内容も表示されている場合には、設定の変更がなされてから所定時間が経過したものから順に、その表示が終了される。
【００８５】
（ユーザ認証設定がオンの場合の動作）  
以下に説明するように、ユーザ認証設定がオンの場合には、ユーザが画像形成装置１００にログインすると、そのユーザによって使用可能な機能に関連する変更内容が表示パネル１３２に表示される。ユーザが画像形成装置１００からログアウトすると、又は、設定の変更がなされてから所定時間が経過すると、そのユーザによって使用可能な機能に関連する変更内容の表示が終了する。
【００８６】
ユーザはまず、画像形成装置１００にログインするために、タッチパネル１３４に対する入力操作によって、ログイン名とパスワードとを入力する。このとき、前回のログイン時に表示パネル１３２に表示された変更内容は、表示されていない。入力されたログイン名とパスワードとが認証される（ログイン認証される）と、ユーザは画像形成装置１００に対するログインが許可されるとともに、所定の機能の使用が許可される。
【００８７】
ユーザは、ホームキー１４８を押下する。ホームキー１４８が押下されると、表示パネル１３２には、ホーム画面１０００（図４参照）が表示される。ユーザは、ホーム画面１０００に表示されるキー１２１４を押下する。キー１２１４が押下されると、表示パネル１３２には、システム設定画面（図示せず。）が表示される。この場合、ユーザ認証設定はオンに設定されているので、ログインしているユーザの権限により、管理者パスワードを入力することなく、システム設定における操作が許可される。ユーザは、システム設定画面に対するタッチパネル１３４からの入力操作によって、上記と同様にしてコピー設定を変更する。
【００８８】
コピー設定を変更すると、ユーザは変更内容を確定した後、システム設定画面に表示される終了キー（図示せず。）を押下する。終了キーが押下されると、表示パネル１３２には、システム設定画面（図示せず。）に替えて、ホーム画面１０００が表示される。ＣＰＵ３００は、設定の変更がなされたと判定し（ステップＳ１０１にてＹＥＳ）、ユーザ認証設定がオンになっていると判定し（ステップＳ１０２にてＹＥＳ）、ログインがなされたと判定する（Ｓ１０７にてＹＥＳ）。ＣＰＵ３００による上記判定がなされると、表示パネル１３２は、今回の変更内容のうち、ログイン中のユーザによって使用可能な機能に関連する変更内容を示すテロップ（図示せず。）を、所定の順序で流すことで表示する（ステップＳ１０９）。ここで、ログイン中のユーザによって使用可能な機能に関連する変更内容において、現在の時点で、変更がなされてから所定時間が経過しておらず、かつ、一度も表示されていないものが、今回の変更内容とは別に存在する場合には、表示パネル１３２には、その変更内容と今回の変更内容とが、同時に表示される。このテロップ（図示せず。）は、表示パネル１３２に表示される画面がホーム画面１０００から他の画面（例えばコピーモードの基本画面３０００）に切替わった場合においても、表示されたままである。
【００８９】
今回の設定の変更がなされてから所定時間（例えば、２４時間）が経過する前に（ステップＳ１１２にてＮＯ）、タッチパネル１３４に対する入力操作によってユーザが画像形成装置１００からログアウトした場合には、ＣＰＵ３００は、ログアウトがなされたと判定する（ステップＳ１１０にてＹＥＳ）。ＣＰＵ３００による上記判定がなされると、表示パネル１３２は、今回の変更内容における、ログイン中のユーザによって使用可能な機能に関連する変更内容の表示を終了する（ステップＳ１１１）。このとき、表示パネル１３２に、今回の変更内容とともに別の変更内容が表示されている場合においても、ユーザのログアウトに伴って表示中の全ての変更内容の表示が終了される。
【００９０】
また、上記テロップ（図示せず。）が表示された状態で（ステップＳ１１０にてＮＯ）、今回の設定の変更がなされてから所定時間（例えば、２４時間）が経過すると（ステップＳ１１２にてＹＥＳ）、表示パネル１３２は、テロップにおける、今回の変更内容の表示を終了する（ステップＳ１０６）。表示パネル１３２に、今回の変更内容とともに別の変更内容も表示されている場合には、設定の変更がなされてから所定時間が経過したものから順に、その表示が終了される。
【００９１】
なお、上記動作において、変更内容の表示設定がオフに設定されている場合には（ステップＳ１０４にてＮＯ）、表示パネル１３２には、変更内容は表示されない。
【００９２】
《第１の変形例》  
上記第１の実施の形態の第１の変形例に係る画像形成装置１００は、変更内容表示処理が異なる点を除き、上記第１の実施の形態に係る画像形成装置１００と同一の構成を有する。以下、異なる点について説明する。
【００９３】
〈ソフトウェア構成〉  
（変更内容表示処理）  
図１０を参照して、本変形例に係る変更内容表示処理を実現するためのプログラムにおいて、ステップＳ２０１〜Ｓ２０３，Ｓ２０９〜Ｓ２１４の処理は、図８に示すステップＳ１０１〜Ｓ１０３，Ｓ１０７〜Ｓ１１２の処理と同じである。以下、主に異なる処理について説明する。
【００９４】
このプログラムは、ステップＳ２０３にて、変更内容の表示設定がオンであると判定された場合（ＹＥＳの場合）に実行され、画像形成装置１００が、設定変更に関連する動作モード（以下単に「関連モード」と記す場合がある。）に遷移中であるか否かを判定するステップＳ２０４と、ステップＳ２０４にて、関連モードに遷移中であると判定された場合（ＹＥＳの場合）に実行され、表示パネル１３２に対し、今回の変更内容のうち、遷移中の動作モードに関連する変更内容を表示させるステップＳ２０５と、を含む。
【００９５】
このプログラムはさらに、ステップＳ２０４にて、関連モードに遷移中ではないと判定された場合（ＮＯの場合）に実行され、表示パネル１３２に対し、変更内容を表示させないようにするステップＳ２０６を含む。
【００９６】
このプログラムはさらに、ステップＳ２０５及びＳ２０６の処理後に実行され、今回の設定の変更がなされてから所定時間が経過したか否かを判定するステップＳ２０７を含む。ステップＳ２０７にて、所定時間が経過していないと判定された場合（ＮＯの場合）には、制御はステップＳ２０４に戻る。
【００９７】
このプログラムはさらに、ステップＳ２０７にて、所定時間が経過したと判定された場合（ＹＥＳの場合）に実行され、表示パネル１３２に対し、今回の変更内容の表示を終了させるステップＳ２０８を含む。
【００９８】
〈動作〉  
図１０を参照して、本変形例に係る画像形成装置１００は、以下のように動作する。本変形例に係る画像形成装置１００の動作は、以下に示す動作を除き、上記第１の実施の形態に係る画像形成装置１００の動作と同じである。
【００９９】
（ユーザ認証設定がオフの場合の動作）  
ユーザは、ログイン認証を行なうことなく、ホームキー１４８を押下する。ホームキー１４８が押下されると、表示パネル１３２には、ホーム画面１０００（図４参照）が表示される。ユーザは、ホーム画面１０００に表示されるキー１２１４を押下する。キー１２１４が押下されると、表示パネル１３２には、システム設定画面（図示せず。）が表示される。この場合、ユーザ認証設定はオフに設定されているので、ユーザは、設定の変更を行なうために、タッチパネル１３４に対する入力操作によって、管理者パスワードを入力する。入力された管理者パスワードによってユーザが管理者として認証されると、ユーザは、タッチパネル１３４に対する入力操作によって、上記と同様にしてコピー設定を変更する。
【０１００】
コピー設定を変更すると、ユーザは変更内容を確定した後、システム設定画面に表示される終了キー（図示せず。）を押下する。終了キーが押下されると、表示パネル１３２には、システム設定画面（図示せず。）に替えて、ホーム画面１０００が表示される。ＣＰＵ３００は、設定の変更がなされたと判定し（ステップＳ２０１にてＹＥＳ）、ユーザ認証設定がオフになっていると判定し（ステップＳ２０２にてＮＯ）、変更内容の表示設定がオンになっていると判定する（ステップＳ２０３にてＹＥＳ）。
【０１０１】
ホーム画面１０００を確認したユーザは、キー１２３２を押下する。キー１２３２が押下されると、表示パネル１３２には、コピーモードの基本画面３０００（図６参照）が表示される。ＣＰＵ３００は、関連モードに遷移中であると判定する（ステップＳ２０４にてＹＥＳ）。ＣＰＵ３００による上記判定がなされると、表示パネル１３２は、遷移中のコピーモードに関連する変更内容（すなわち、今回の全ての変更内容）を表示する（ステップＳ２０５）。ここで、コピーモードに関連する変更内容において、現在の時点で、変更がなされてから所定時間が経過していないものが、今回の変更内容とは別に存在する場合には、表示パネル１３２には、その変更内容と今回の変更内容とが、同時に表示される。
【０１０２】
図１１を参照して、この場合、表示パネル１３２において、基本画面３０００の前面には、今回変更したコピーモードに関連する変更内容が、所定の順序でテロップ５１００を流すことで表示される。
【０１０３】
このとき、タッチパネル１３４に対するユーザの入力操作によって、コピーモードから他の動作モード（例えばＦＡＸモード）に切替えられた場合には、ＣＰＵ３００によって、関連モードに遷移中ではないと判定され（ステップＳ２０４にてＮＯ）、表示パネル１３２は、テロップ５１００の表示を終了する（ステップＳ２０６）。このとき、表示パネル１３２に、今回の変更内容とともに別の変更内容が表示されている場合においても、動作モードの遷移に伴って表示中の全ての変更内容の表示が終了される。
【０１０４】
なお、上記動作において、ホーム画面１０００を確認したユーザが、キー１２３２ではなくキー１２１２を押下した場合には、表示パネル１３２には、ＦＡＸモードの基本画面４０００（図７参照）が表示され、ＣＰＵ３００は、関連モードに遷移中ではないと判定する（ステップＳ２０４にてＮＯ）。ＣＰＵ３００による上記判定がなされた場合には、表示パネル１３２は、変更内容を表示しない（ステップＳ２０６）。
【０１０５】
今回の設定の変更がなされてから所定時間（例えば、２４時間）が経過すると（ステップＳ２０７にてＹＥＳ）、表示パネル１３２は、今回の変更内容の表示を終了する（ステップＳ２０８）。すなわち、コピーモードに遷移中である場合には、テロップ５１００における今回の変更内容の表示を終了する。コピーモードに遷移した場合においても、今回の変更内容の表示は行なわれない。なお、今回の変更内容とともに別の変更内容が存在する場合には、設定の変更がなされてから所定時間が経過したものから順に、テロップ５１００からその表示が終了される。
【０１０６】
《第２の変形例》  
上記第１の実施の形態の第２の変形例に係る画像形成装置１００は、変更内容表示処理が異なる点を除き、上記第１の実施の形態に係る画像形成装置１００と同一の構成を有する。以下、異なる点について説明する。
【０１０７】
〈ソフトウェア構成〉  
（変更内容表示処理）  
図１２を参照して、本変形例に係る変更内容表示処理を実現するためのプログラムにおいて、ステップＳ３０１〜Ｓ３０３，Ｓ３０９〜Ｓ３１４の処理は、図８に示すステップＳ１０１〜Ｓ１０３，Ｓ１０７〜Ｓ１１２の処理と同じである。以下、主に異なる処理について説明する。
【０１０８】
このプログラムは、ステップＳ３０３にて、変更内容の表示設定がオンであると判定された場合（ＹＥＳの場合）に実行され、設定変更に関連するジョブ（以下単に「関連ジョブ」と記す場合がある。）を実行するための操作中であるか否かを判定するステップＳ３０４と、ステップＳ３０４にて、関連ジョブを実行するための操作中であると判定された場合（ＹＥＳの場合）に実行され、表示パネル１３２に対し、今回の変更内容のうち、操作中のジョブに関連する変更内容を表示させるステップＳ３０５と、を含む。
【０１０９】
このプログラムはさらに、ステップＳ３０４にて、関連ジョブを実行するための操作中ではないと判定された場合（ＮＯの場合）に実行され、表示パネル１３２に対し、変更内容を表示させないようにするステップＳ３０６を含む。
【０１１０】
このプログラムはさらに、ステップＳ３０５及びＳ３０６の処理後に実行され、今回の設定の変更がなされてから所定時間が経過したか否かを判定するステップＳ３０７を含む。ステップＳ３０７にて、所定時間が経過していないと判定された場合（ＮＯの場合）には、制御はステップＳ３０４に戻る。
【０１１１】
このプログラムはさらに、ステップＳ３０７にて、所定時間が経過したと判定された場合（ＹＥＳの場合）に実行され、表示パネル１３２に対し、今回の変更内容の表示を終了させるステップＳ３０８を含む。
【０１１２】
〈動作〉  
図１２を参照して、本変形例に係る画像形成装置１００は、以下のように動作する。本変形例に係る画像形成装置１００の動作は、以下に示す動作を除き、上記第１の実施の形態に係る画像形成装置１００の動作と同じである。
【０１１３】
（ユーザ認証設定がオフの場合の動作）    ユーザは、ログイン認証を行なうことなく、ホームキー１４８を押下する。ホームキー１４８が押下されると、表示パネル１３２には、ホーム画面１０００（図４参照）が表示される。ユーザは、ホーム画面１０００に表示されるキー１２１４を押下する。キー１２１４が押下されると、表示パネル１３２には、システム設定画面（図示せず。）が表示される。この場合、ユーザ認証設定はオフに設定されているので、ユーザは、設定の変更を行なうために、タッチパネル１３４に対する入力操作によって、管理者パスワードを入力する。
【０１１４】
入力された管理者パスワードによってユーザが管理者として認証されると、ユーザは、タッチパネル１３４に対する入力操作によって、ＦＡＸ／イメージ送信モードの設定（以下単に「ＦＡＸ／イメージ送信設定」と記す。）を変更する。本変形例において、ユーザは、ＦＡＸ／イメージ送信設定における、標準画質設定を普通字から精細に変更し、ハンドセット接続をオフからオンに変更し、送信データの上限値設定を無制限から２ＭＢに変更し、標準ファイルフォーマットをＰＤＦ（Ｐｏｒｔａｂｌｅ  Ｄｏｃｕｍｅｎｔ  Ｆｏｒｍａｔ）からＴＩＦＦ（Ｔａｇｇｅｄ  Ｉｍａｇｅ  Ｆｉｌｅ  Ｆｏｒｍａｔ）に変更し、ページ数印字をオンからオフに変更するものとする。
【０１１５】
ＦＡＸ／イメージ送信設定を変更すると、ユーザは変更内容を確定した後、システム設定画面に表示される終了キー（図示せず。）を押下する。終了キーが押下されると、表示パネル１３２には、システム設定画面（図示せず。）に替えて、ホーム画面１０００（図４参照）が表示される。ＣＰＵ３００は、設定の変更がなされたと判定し（ステップＳ３０１にてＹＥＳ）、ユーザ認証設定がオフになっていると判定し（ステップＳ３０２にてＮＯ）、変更内容の表示設定がオンになっていると判定する（ステップＳ３０３にてＹＥＳ）。
【０１１６】
ホーム画面１０００を確認したユーザは、キー１２１２を押下する。キー１２１２が押下されると、表示パネル１３２には、ＦＡＸモードの基本画面４０００（図７参照）が表示される。ユーザは、基本画面４０００を確認し、設定条件の変更を行なう場合には、機能選択領域２２００に表示される各種設定キー及びアクションパネル領域２４００に表示される各種実行キーに対する入力操作を行なうことで、ＦＡＸモードの各種機能及びパラメータの設定変更（例えば、画質の変更及び濃度の変更等）を行なう。
【０１１７】
ユーザは、手動で原稿載置台に原稿を載置するとともに、仮想テンキー群２３１２に対する入力操作によって、所望のＦＡＸ番号（本変形例では、「０１２３４５６７８９」）を入力する。このとき、番号表示領域２１１４には、入力された数値が表示される。
【０１１８】
ユーザによって、少なくとも設定条件の変更又はＦＡＸ番号の入力がなされると、ＣＰＵ３００は、関連ジョブを実行するための操作中であると判定する（ステップＳ３０４にてＹＥＳ）。ＣＰＵ３００による上記判定がなされると、表示パネル１３２は、今回の変更内容のうち、操作中のジョブに関連する変更内容を表示する（ステップＳ３０５）。ここで、ＦＡＸ送信処理に関連する変更内容において、現在の時点で、変更がなされてから所定時間が経過していないものが、今回の変更内容とは別に存在する場合には、表示パネル１３２には、その変更内容と今回の変更内容とが、同時に表示される。
【０１１９】
図１３を参照して、この場合、表示パネル１３２において、基本画面４０００の前面には、今回変更した通常のＦＡＸ送信処理に関連する変更内容が、所定の順序でテロップ５２００を流すことで表示される。すなわち、テロップ５２００には、標準画質設定が普通字から精細に変更されたこと、及び、ページ数印字がオンからオフに変更されたことが示される。これによって、ユーザは、ＦＡＸ送信処理の実行前に、どのような画像データが出力されるのかを知ることができる。
【０１２０】
ユーザは、番号表示領域２１１４に表示される送信相手先のＦＡＸ番号を確認し、問題ないと判断すると、スタートキー２５１６を押下する。スタートキー２５１６が押下されると、関連ジョブを実行するための操作は完了し、通常のＦＡＸ送信処理が実行される。ＣＰＵ３００は、関連ジョブを実行するための操作中ではないと判定する（ステップＳ３０４にてＮＯ）。
【０１２１】
ＣＰＵ３００によって、上記判定がなされると、表示パネル１３２は、テロップ５２００の表示を終了する（ステップＳ３０６）。このとき、表示パネル１３２に、今回の変更内容とともに別の変更内容が表示されている場合においても、ＦＡＸ送信処理の終了に伴って表示中の全ての変更内容の表示が終了される。
【０１２２】
今回の設定の変更がなされてから所定時間（例えば、２４時間）が経過すると（ステップＳ３０７にてＹＥＳ）、表示パネル１３２は、今回の変更内容の表示を終了する（ステップＳ３０８）。すなわち、関連ジョブを実行するための操作中である場合には、テロップ５２００における今回の変更内容の表示を終了する。今回の変更内容とともに別の変更内容が存在する場合には、設定の変更がなされてから所定時間が経過したものから順に、テロップ５２００からその表示が終了される。
【０１２３】
《第３の変形例》  
上記第１の実施の形態の第３の変形例に係る画像形成装置１００は、変更内容表示処理が異なる点、及び、各ジョブの使用状況を記憶して使用回数の多いジョブを管理する点を除き、上記第１の実施の形態に係る画像形成装置１００と同一の構成を有する。以下、異なる点について説明する。
【０１２４】
〈ソフトウェア構成〉  
（変更内容表示処理）  
図１４を参照して、本変形例に係る変更内容表示処理を実現するためのプログラムにおいて、ステップＳ４０１〜Ｓ４０３，Ｓ４０９〜Ｓ４１４の処理は、図８に示すステップＳ１０１〜Ｓ１０３，Ｓ１０７〜Ｓ１１２の処理と同じである。以下、主に異なる処理について説明する。
【０１２５】
このプログラムは、ステップＳ４０３にて、変更内容の表示設定がオンであると判定された場合（ＹＥＳの場合）に実行され、変更内容に、使用回数の多いジョブに関連する変更内容があるか否かを判定するステップＳ４０４と、ステップＳ４０４にて、使用回数の多いジョブに関連する変更内容があると判定された場合（ＹＥＳの場合）に実行され、表示パネル１３２に対し、使用回数の多いジョブに関連する変更内容を表示させるステップＳ４０５と、を含む。
【０１２６】
このプログラムはさらに、ステップＳ４０４にて、使用回数の多いジョブに関連する変更内容がないと判定された場合（ＮＯの場合）に実行され、表示パネル１３２に対し、変更内容を表示させないようにするステップＳ４０６と、ステップＳ４０５及びＳ４０６の処理後に実行され、今回の設定の変更がなされてから所定時間が経過したか否かを判定するステップＳ４０７と、を含む。ステップＳ４０７にて、所定時間が経過していないと判定された場合（ＮＯの場合）には、制御はステップＳ４０４に戻る。
【０１２７】
このプログラムはさらに、ステップＳ４０７にて、所定時間が経過したと判定された場合（ＹＥＳの場合）に実行され、表示パネル１３２に対し、今回の変更内容の表示を終了させるステップＳ４０８を含む。
【０１２８】
〈動作〉  
図１４を参照して、本変形例に係る画像形成装置１００は、以下のように動作する。本変形例に係る画像形成装置１００の動作は、以下に示す動作を除き、上記第１の実施の形態に係る画像形成装置１００の動作と同じである。
【０１２９】
（ユーザ認証設定がオフの場合の動作）  
本変形例において、画像形成装置１００は、各ジョブの使用状況を記憶する。そして、使用回数の多いジョブとして、ＦＡＸ送信処理が管理されているものとする。
【０１３０】
ユーザは、ログイン認証を行なうことなく、ホームキー１４８を押下する。ホームキー１４８が押下されると、表示パネル１３２には、ホーム画面１０００（図４参照）が表示される。ユーザは、ホーム画面１０００に表示されるキー１２１４を押下する。キー１２１４が押下されると、表示パネル１３２には、システム設定画面（図示せず。）が表示される。この場合、ユーザ認証設定はオフに設定されているので、ユーザは、設定の変更を行なうために、タッチパネル１３４に対する入力操作によって、管理者パスワードを入力する。入力された管理者パスワードによってユーザが管理者として認証されると、ユーザは、タッチパネル１３４に対する入力操作によって、上記と同様にしてＦＡＸ／イメージ送信設定を変更する。
【０１３１】
ＦＡＸ／イメージ送信設定を変更すると、ユーザは変更内容を確定した後、システム設定画面に表示される終了キー（図示せず。）を押下する。終了キーが押下されると、表示パネル１３２には、システム設定画面（図示せず。）に替えて、ホーム画面１０００が表示される。ＣＰＵ３００は、設定の変更がなされたと判定し（ステップＳ４０１にてＹＥＳ）、ユーザ認証設定がオフになっていると判定し（ステップＳ４０２にてＮＯ）、変更内容の表示設定がオンになっていると判定する（ステップＳ４０３にてＹＥＳ）。
【０１３２】
ＣＰＵ３００はさらに、今回の変更内容に、使用回数の多いジョブに関連する変更内容があると判定する（ステップＳ４０４にてＹＥＳ）。ＣＰＵ３００による上記判定がなされると、表示パネル１３２は、今回の変更内容のうち、使用回数の多いジョブに関連する変更内容（この場合、今回の全ての変更内容）を表示する（ステップＳ４０５）。ここで、使用回数の多いジョブに関連する変更内容において、現在の時点で、変更がなされてから所定時間が経過していない状態のものが、今回の変更内容とは別に存在する場合には、表示パネル１３２には、その変更内容が既に表示されている。このような場合、今回の変更内容が、既に表示されている変更内容に新たに追加されて表示される。
【０１３３】
この場合、表示パネル１３２において、ホーム画面１０００の前面には、今回変更された、使用回数の多いジョブ（この場合、ＦＡＸ送信処理）に関連する変更内容が、所定の順序でテロップ（図示せず。）を流すことで表示される。このテロップ（図示せず。）は、表示パネル１３２に表示される画面がホーム画面１０００から他の画面（例えばコピーモードの基本画面３０００）に切替わった場合においても、表示されたままである。
【０１３４】
なお、使用回数の多いジョブが、ＦＡＸ送信処理からモノクロコピー処理に変更された場合には、ＣＰＵ３００によって、使用回数の多いジョブに関連する設定変更がないと判定され（ステップＳ４０４にてＮＯ）。表示パネル１３２は、テロップ（図示せず。）の表示を終了する（ステップＳ４０６）。
【０１３５】
今回の設定の変更がなされてから所定時間（例えば、２４時間）が経過すると（ステップＳ４０７にてＹＥＳ）、表示パネル１３２は、今回の変更内容の表示を終了する（ステップＳ４０８）。このとき、ＦＡＸ送信処理に関連する変更内容が表示されている場合には、テロップにおける今回の変更内容の表示が終了される。なお、今回の変更内容とともに別の変更内容の存在する場合には、設定の変更がなされてから所定時間が経過したものから順に、テロップからその表示が終了される。
【０１３６】
《その他の変形例》  
上記第１の実施の形態及び第１の変形例〜第３の変形例において、変更内容はテロップを流すことで表示されたが、本発明はそのような実施の形態に限定されない。例えば、図１５を参照して、テロップ５１００に代えて、設定の変更がなされたことを示すアイコン５１０２が表示されてもよい。図１６を参照して、このアイコン５１０２がユーザによって押下されると、表示パネル１３２には、アイコン５１０２に代えて、ウィンドウ５１０４が表示される。このウィンドウ５１０４内には、対応する変更内容が表示される。ユーザによって、ウィンドウ５１０４内に示される「閉じる」ボタン５１０６が押下されると、表示パネル１３２には、ウィンドウ５１０４に代えて、アイコン５１０２が表示される（図１５参照）。また、ユーザによって、ウィンドウ５１０４内に示される変更内容のうちのいずれかが選択されると、表示パネル１３２には、対応する設定画面（図示せず。）が表示される。
【０１３７】
また上記第１の実施の形態及び第１の変形例〜第３の変形例において、表示パネル１３２には、変更内容のみがテロップを流すことで表示されたが、本発明はそのような実施の形態に限定されない。例えば、全ての設定内容がウィンドウ内に表示され、変更内容のみが、異なる色で表示されてもよい。
【０１３８】
また上記第１の実施の形態及び第１の変形例〜第３の変形例において、テロップにて表示される変更内容は全て同じ状態で表示されたが、本発明はそのような実施の形態に限定されない。例えば、重要度に応じて色分けされて表示されてもよいし、変更時期の違いに応じて色分けされて表示されてもよい。
【０１３９】
また上記第１の実施の形態及び第１の変形例〜第３の変形例において、テロップにて表示される変更内容は所定の順序で表示されたが、本発明はそのような実施の形態に限定されない。例えば、ＣＰＵ３００は、ジョブの使用状況に基づいて、頻繁に使用されるジョブの順に、すなわち、ジョブの使用回数の多い順に、関連する各設定内容を並べ替え、その順序に従ってテロップを流してもよい。
【０１４０】
また上記第１の実施の形態及び第１の変形例〜第３の変形例において、変更内容は設定が変更されてから所定時間が経過するまで表示されたが、本発明はそのような実施の形態に限定されない。例えば、予め登録されるユーザ全員が確認するまで表示されてもよい。この場合、表示パネル１３２には、変更内容とともに「確認中」ボタン（図示せず。）が表示される。変更内容を確認したユーザは、この「確認中」ボタンを押下する。「確認中」ボタンを押下したユーザは、ログイン認証時に使用されるログイン名等に基づいて確認済みユーザとして登録される。登録された確認済みユーザが、予め登録される全てのユーザ分に達すると、表示パネル１３２には、「全員が確認しました」等のメッセージが表示されるとともに、変更内容の表示が終了される。
【０１４１】
また上記第１の実施の形態及び第１の変形例〜第３の変形例において、変更内容は、表示パネル１３２に表示されるのみであったが、本発明はそのような実施の形態に限定されない。例えば、画像形成装置１００は、ユーザの指示に応じて、表示される変更内容を記録用紙に印刷することが可能な構成であってもよいし、表示される変更内容を、外部機器であるＰＣに対して保存させることが可能な構成であってもよい。
【０１４２】
また本発明は、上記第１の実施の形態及び第１の変形例〜第３の変形例に限定されず、上記第１の実施の形態及び第１の変形例〜第３の変形例のそれぞれが、適宜組合された構成であってもよい。
【０１４３】
《第２の実施の形態》  
本発明の第２の実施の形態に係る画像形成装置は、ＲＯＭ３０６が、後述する変更履歴表示処理を実現するためのコンピュータプログラムをさらに記憶する点を除き、上記第１の実施の形態に係る画像形成装置１００と同一の構成を有する。以下、異なる点について説明する。
【０１４４】
〈ソフトウェア構成〉  
（変更履歴表示処理）  
変更履歴表示処理を実現するためのプログラムは、表示パネル１３２に対し、変更内容が表示されることによって起動される。
【０１４５】
図１７を参照して、このプログラムは、表示された変更内容に対応する、設定の変更履歴を表示することを要求する指示（以下「変更履歴要求指示」と記す。）がなされるまで待機するステップＳ５０１と、ステップＳ５０１にて、変更履歴要求指示がなされたと判定された場合（ＹＥＳの場合）に実行され、表示パネル１３２に対し、表示された変更内容に対応する、設定の変更履歴を表示させるステップＳ５０２と、を含む。
【０１４６】
このプログラムはさらに、表示された変更履歴から、所定の条件を満たすものを抽出することを要求する指示（以下「抽出要求指示」と記す。）がなされるまで待機するステップＳ５０３と、ステップＳ５０３にて、抽出要求指示がなされたと判定された場合（ＹＥＳの場合）に実行され、表示された変更履歴から、所定の条件を満たす変更履歴を抽出するとともに、表示パネル１３２に対し、抽出した変更履歴を表示させるステップＳ５０４と、を含む。
【０１４７】
このプログラムはさらに、ユーザによって選択された変更内容に対応する設定を変更前の状態に戻すことを要求する指示（以下「復帰要求指示」と記す。）がなされるまで待機するステップＳ５０５と、ステップＳ５０５にて、復帰要求指示がなされたと判定された場合（ＹＥＳの場合）に実行され、選択された変更内容に対応する設定を変更前の状態に戻すステップＳ５０６と、を含む。
【０１４８】
このプログラムはさらに、選択された変更内容に対応する設定を変更前の状態に戻してから所定時間が経過するまで待機するステップＳ５０７と、ステップＳ５０７にて、所定時間が経過したと判定された場合（ＹＥＳの場合）に実行され、変更前の状態に戻した設定を元の状態、すなわち変更後の状態に戻すステップＳ５０８と、を含む。
【０１４９】
〈動作〉  
図１７〜図１９を参照して、本発明の第２の実施の形態に係る画像形成装置は、以下のように動作する。本実施の形態に係る画像形成装置の動作は、以下に示す動作を除き、上記第１の実施の形態に係る画像形成装置１００の動作と同じである。
【０１５０】
表示パネル１３２に表示された変更内容（図９のテロップ５０００）を確認したユーザは、タッチパネル１３４に対する入力操作によって、変更履歴要求指示を出す。図１８を参照して、ＣＰＵ３００によって、変更履歴要求指示がなされたと判定されると（ステップＳ５０１にてＹＥＳ）、表示パネル１３２において、ホーム画面１０００の前面には、ウィンドウ５３００が表示される（ステップＳ５０２）。このウィンドウ５３００内には、表示された変更内容に対応する、設定の変更履歴が示される。
【０１５１】
ユーザは、タッチパネル１３４に対する入力操作によって、表示された変更履歴から、７月２０日以降の変更履歴を抽出することを要求する指示を出す。上記指示がなされると、ＣＰＵ３００は、抽出要求指示がなされたと判定し（ステップＳ５０３にてＹＥＳ）、表示された変更履歴から、所定の条件を満たす変更履歴（この場合、７月２０日以降の変更履歴）を抽出する。ＣＰＵ３００によって変更履歴が抽出されると、表示パネル１３２は、抽出された変更履歴を表示する（ステップＳ５０４）。図１９を参照して、このとき、表示パネル１３２において、ホーム画面１０００の前面には、ウィンドウ５４００が表示される。このウィンドウ５４００内には、抽出された変更履歴が示されるとともに、復帰要求指示を出すための「戻す」ボタン５４０２が表示される。
【０１５２】
ユーザは、タッチパネル１３４に対する入力操作によって、表示された抽出後の変更履歴から所望の変更履歴を選択した後、「戻す」ボタン５４０２を押下する。これによって、ユーザが所望する変更内容が選択される。「戻す」ボタン５４０２が押下されると、ＣＰＵ３００は、復帰要求指示がなされたと判定し（ステップＳ５０５にてＹＥＳ）、選択された変更内容に対応する設定を変更前の状態に戻す（ステップＳ５０６）。
【０１５３】
選択された変更内容に対応する設定が変更前の状態に戻されてから所定時間が経過すると（ステップＳ５０７にてＹＥＳ）、ＣＰＵ３００は、変更前の状態に戻した設定を元の状態、すなわち変更後の状態に戻す（ステップＳ１１３）。
【０１５４】
なお、ユーザは、タッチパネル１３４に対する入力操作によって、表示パネル１３２に表示される設定の変更履歴（図１８参照）又は抽出された変更履歴（図１９参照）の表示の終了を要求する指示を出すことができる。ユーザによってこのような指示がなされた場合には、設定の変更履歴（すなわちウィンドウ５３００）又は抽出された変更履歴（すなわちウィンドウ５４００）の表示が終了され、表示パネル１３２には、変更内容（図９のテロップ５０００）が再度表示される。
【０１５５】
《変形例》  
上記第２の実施の形態は、上記第１の実施の形態に適用されたが、本発明はそのような実施の形態に限定されない。すなわち、上記第２の実施の形態は、上記第１の実施の形態の第１の変形例〜第３の変形例の各々又はこれらを適宜組合せたものに適用されてもよい。
【０１５６】
〈作用・効果〉  
上記第１及び第２の実施の形態並びにそれらの変形例によれば、操作ユニット１２０は、所定の動作モードに対応する所定の処理を実行する画像形成装置１００に備えられる。この操作ユニット１２０は、表示パネル１３２と、所定の処理を実行するために必要な設定の変更を行なうためのタッチパネル１３４と、タッチパネル１３４によって設定の変更がなされた場合に、表示パネル１３２に対し、当該変更内容を示すための変更情報を、所定時間表示させるＣＰＵ３００と、を含む。
【０１５７】
このように、設定の変更がなされた場合に、当該変更の内容を示すための変更情報が所定時間表示されるので、ユーザは、例えば、管理者及び他のユーザ等によって設定の変更がなされた場合においても、その変更情報を確実に知ることができる。また、変更情報は所定時間のみ表示されるので、いつまでも表示される場合と比較して、無駄に表示されることを防ぐことができる。
【０１５８】
上記第１の実施の形態の第１の変形例によれば、ＣＰＵ３００は、画像形成装置１００が、変更に関連する動作モードに遷移中である場合に、表示パネル１３２に対し、当該遷移中の動作モードに関連する変更内容を示すための情報を、変更情報として表示させる。これによって、ユーザは、必要な情報のみを容易に知ることができる。したがって、ユーザの利便性が向上する。
【０１５９】
上記第１の実施の形態の第２の変形例によれば、ＣＰＵ３００は、画像形成装置１００が、変更に関連する処理を実行するための操作中である場合に、表示パネル１３２に対し、当該操作中の処理に関連する変更内容を示すための情報を、変更情報として表示させる。これによって、ユーザは、必要な情報のみを容易に知ることができる。したがって、ユーザの利便性が向上する。
【０１６０】
上記第１の実施の形態の第３の変形例によれば、ＣＰＵ３００は、変更内容が、使用回数の多い処理に関連する変更内容を含む場合に、表示パネル１３２に対し、当該使用回数の多い処理に関連する変更内容を示すための情報を、変更情報として表示させる。これによって、ユーザは、必要な情報のみを容易に知ることができる。したがって、ユーザの利便性が向上する。
【０１６１】
上記第１及び第２の実施の形態並びにそれらの変形例によれば、ＣＰＵ３００は、画像形成装置１００のユーザが正規のユーザである場合に、当該ユーザに対し、画像形成装置１００に対するログイン、及び、所定の機能の使用を許可する。ＣＰＵ３００はさらに、画像形成装置１００のログインが許可されている場合には、表示パネル１３２に対し、ログイン中のユーザが使用可能な機能に関連する変更内容を示すための情報を、変更情報として表示させる。これによって、ユーザは、必要な情報のみをより一層容易に知ることができる。したがって、ユーザの利便性がより一層向上する。
【０１６２】
また上記第１及び第２の実施の形態並びにそれらの変形例によれば、ＣＰＵ３００は、表示パネル１３２に対し、変更情報として、変更内容を示す文字情報を、テロップを流すことで表示させる。これによって、ユーザは、どのような設定の変更が行なわれたのかをより一層容易に知ることができる。
【０１６３】
上記第１の実施の形態のその他の変形例によれば、ＣＰＵ３００は、表示パネル１３２に対し、変更情報として、変更がなされたことを示すアイコン５１０２を表示させ、タッチパネル１３４は、アイコン５１０２に対する入力操作を受付ける。ＣＰＵ３００はさらに、タッチパネル１３４が入力操作を受付けた場合に、表示パネル１３２に対し、変更情報として、変更内容を示す文字情報を表示させる。これによって、ユーザは、設定の変更がなされたことを容易に知ることができる。また、どのような設定の変更が行なわれたのかを知りたい場合には、その情報を容易に知ることができる。
【０１６４】
上記第２の実施の形態によれば、タッチパネル１３４は、変更履歴要求指示を受付け、ＣＰＵ３００は、タッチパネル１３４が変更履歴要求指示を受付けたことに応答して、表示パネル１３２に対し、変更履歴を表示させる。タッチパネル１３４は、抽出要求指示を受付け、ＣＰＵ３００は、タッチパネル１３４が抽出要求指示を受付けたことに応答して、変更履歴から所定の条件を満たす変更履歴を抽出し、表示パネル１３２に対し、抽出した変更履歴を表示させる。これによって、ユーザは、変更内容に対応する設定の変更履歴を容易に確認することができる。また、変更履歴から所定の条件を満たす変更履歴を容易に抽出できるとともに、その抽出結果を容易に確認することができる。したがって、ユーザの利便性がさらに向上する。
【０１６５】
また上記第２の実施の形態によれば、所定の条件は、変更がなされた時期に基づいて設定される条件である。これによって、ユーザは、変更履歴から、例えば所望の期間における変更履歴を容易に抽出できるとともに、その抽出結果を容易に確認することができる。
【０１６６】
また上記第２の実施の形態によれば、タッチパネル１３４は、復帰要求指示を受付け、ＣＰＵ３００は、タッチパネル１３４が復帰要求指示を受付けたことに応答して、所定の変更内容に対応する設定を、所定時間変更前の状態に戻す。これによって、ユーザは、所望の変更内容に対応する設定を、一時的に変更前の状態に戻すことができる。したがって、所望の変更内容に対応する設定を変更前の状態に戻してから再度変更後の状態に戻すという手間を省くことができるので、ユーザの利便性がさらに向上する。
【０１６７】
また上記第２の実施の形態によれば、所定の変更内容は、ＣＰＵ３００によって抽出された変更履歴に対応する変更内容である。これによって、ユーザは、所望の変更内容を容易に選択することができる。
【０１６８】
上記第１の実施の形態のその他の変形例によれば、画像形成装置１００は、所定の動作モードに対応する所定の処理を実行する。この画像形成装置１００は、上記した操作ユニット１２０と、当該操作ユニット１２０に対してなされた指示に応じて所定の処理を実行する各部（原稿読取部１０２、画像形成部１０４及びＦＡＸ通信部１６０等）と、を含む。このように、画像形成装置１００は、上記した操作ユニット１２０を含むので、所定の処理を実行する際に、ユーザが設定の変更を知らなかったことに起因してミスが発生したり、意図しない処理結果が得られたりすることを防ぐことができる。
【０１６９】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【０１７０】
１００  画像形成装置
１０２  画像読取部
１０４  画像形成部
１２０  操作ユニット
１３２  表示パネル
１３４  タッチパネル
１６０  ＦＡＸ通信部
３００  ＣＰＵ
１０００  ホーム画面
３０００，４０００  基本画面
５０００，５１００，５２００  テロップ
５１０２  アイコン
５１０４，５３００，５４００  ウィンドウ
【図１】
2019062569.tif 000003
【図２】
2019062569.tif 000004
【図３】
2019062569.tif 000005
【図４】
2019062569.tif 000006
【図５】
2019062569.tif 000007
【図６】
2019062569.tif 000008
【図７】
2019062569.tif 000009
【図８】
2019062569.tif 000010
【図９】
2019062569.tif 000011
【図１０】
2019062569.tif 000012
【図１１】
2019062569.tif 000013
【図１２】
2019062569.tif 000014
【図１３】
2019062569.tif 000015
【図１４】
2019062569.tif 000016
【図１５】
2019062569.tif 000017
【図１６】
2019062569.tif 000018
【図１７】
2019062569.tif 000019
【図１８】
2019062569.tif 000020
【図１９】
2019062569.tif 000021